(57)【要約】【課題】半導体デバイスなどの空冷ファンのバランス調整構造。【解決手段】ホイール、及び該ホイールから外方に延長して配列形成された複数の翼を設けてなり、該ホイールは中空構造であって、内部収容空間内には内リング２２を設けて、該内リングにはバランスウェイト２６をリング円周に沿って配列すると共に接続部Ｗにより接続されてなり、ファンの回転軸廻りの重量配分の不均衡に対して該当箇所のバランスウエイトの接続部を破壊して切り離すことにより、重量配分を調整してバランスを矯正することが出来る。【選択図】図３
0003121953.tif 000002
【実用新案登録請求の範囲】
【請求項１】
中空の回転ホイール、該ホイール外周から外方に延長して配列された複数のファン翼からなり、
該ホイールの中空の収容空間内壁に同軸の内リングを配置し、該内リングには該リングに沿って少なくとも一つのバランスウェイトを破断可能な接続部により接続して設けてなり、回転ホイールの軸周りの重量配分の不均衡に対して該接続部を破壊して該当するバランスウェイトを切り離すことによって該不均衡を解消可能とした、
ことを特徴とする空冷ファンのバランス調整構造。
【請求項２】
前記内リングは、該ホイール内に嵌合してなり分離可能であることを特徴とした、請求項１に記載の空冷ファンのバランス調整構造。
【請求項３】
前記ホイールの中央にはシャフトを設けてなることを特徴とした、請求項１に記載の空冷ファンのバランス調整構造。
【請求項４】
前記内リングは、シャフトに接合されてなることを特徴とした、請求項１に記載の空冷ファンのバランス調整構造。
【請求項５】
前記接続部は、前記バランスウェイトと内リングの連続する境界部であることを特徴とした、請求項１に記載の空冷ファンのバランス調整構造。
【請求項６】
前記バランスウェイトと内リングの間は、接続部により接続されてなることを特徴とした、請求項１に記載の空冷ファンのバランス調整構造。
【請求項７】
前記バランスウェイト自身が接続部としてなることを特徴とした、請求項１に記載の空冷ファンのバランス調整構造。
【考案の詳細な説明】
【技術分野】
【０００１】
本考案は、半導体デバイスなどの空冷ファンの安定した回転を保持し、そのバランスを簡易に調整することを特徴とした、ファンのバランス調整構造に関する。
【背景技術】
【０００２】
各形式の空冷ファンの動作は、全てその回転によって空気を送り、気流により発熱体を冷却する。一般のファンの構造は、ファンのホイールから外方に向かって翼を設けてなり、回転時に気流を形成するが、ファンの回転重心が偏奇している場合、回転時に揺動或いは振動が発生する。
【０００３】
前述の揺動或いは振動現象は、ファンに騒音を発生するだけでなく、ファンのシャフトの消耗を加速し、ファンの寿命を短縮し、更にはファンを応用した製品の製品全体の品質を低下させ、冷却効果が得られない等の現象を招く恐れがある。図１に示すように、公知の技術では、シャフト１１外方に形成したリング状の延長軸１２内壁に、射出成形により内側凸リング１３を形成してなり、内側凸リングと延長軸１２との間にはリブ１４が形成され、更に各リブ１４の間にはバランスウェイトスロット１５が形成されてなり、該バランスウェイトスロット１５は、長さと重さが異なるバランスウェイト１６を収納でき、バランスウェイト１６とバランスウェイトスロット１５とを緊密に固定してファンの動力バランスを矯正する。
【０００４】
但し、公知の技術においては実際に製造する際に、バランスウェイト１６の作製に対して金型に鋳造する工程が必要であるが、その鋳造金型は精度の高いものが必要とされ、バランスウェイト１６をバランスウェイトスロット１５に挿入する時に緊密状態を確保する必要があり、緊密状態が確保されない場合は、ファンが回転する時に上述のバランスウェイト１６が抜け落ちてファンの回転動作におけるバランスが失調してしまうために、公知の技術には改善を必要とする問題点が存在している。
【特許文献１】特開平０８−２８８４４０号公報
【特許文献２】特開平０６−１３２４３４号公報
【考案の開示】
【考案が解決しようとする課題】
【０００５】
本考案は、簡単な構造を利用しファンの回転のバランスが崩れ振動してしまう問題を修正する、ファンのバランス調整構造を提供することを目的とする。
【課題を解決するための手段】
【０００６】
上述の目的を達成する為、本考案のファンバランス調整構造は、ホイール、及び該ホイールから外方に延長して配列設置された複数の翼を設けてなり、該ホイールは中空フレームにてなり、その境界には収容空間を設けてなり、該収容空間の内壁には内リングを備えてなり、該内リングには該リングに沿って少なくとも一つのバランスウェイトを該リングに固定する接続部により接続されてなり、ファンの回転時にアンバランスにより発生する振動は、その接続部を破壊して上述のバランスウェイトと内リングを切り離してバランスウェイトを取り除いたファンの位置がその重量を軽減し、ファン或いは翼の重量的平衡を矯正することにより解消され、ファンに安定した回転をさせることを可能とする。
【考案の効果】
【０００７】
上述のように、本考案は以下の長所を具有する。
１．新たにバランスウエイトを取り付ける必要なくファンの回転の平衡を保持し、人    為的組み立てに必要とされる技術的な能力を簡単化する。
２．公知の技術において別途必要とされた鋳造方式によるファンのバランス調整部材    或いはその製造にかかる時間及びコストを大幅に減少する。
【考案を実施するための最良の形態】
【０００８】
本考案に対する長所、目的、技術的特徴及び効果を、以下の図に合わせて詳細に説明する。
図２、３に示すように、本考案のファンのバランス調整構造は、ファン２０の平衡回転を保持するため、前述のファン２０は、ホイール２１、ホイール２１から外側に延長して備える翼２３、シャフト２４、磁性体２５より構成される。
該ホイール２１は、中空構造であって、その空間内に内リング２２が設けられてなり（内リング２２が上述のホイール２１内に嵌合されてなり、ホイール２１と分離してなることも可能）、該翼２３はホイール外周に設けられて回転時に空気を送って発熱物を冷却し、該シャフト２４は、ホイール２１の収容空間の中央に設けられてなり（シャフト２４が内リング２２に接合されていても良い。）、該磁性体２５（磁石或いはその効果を備えるもの）は、上述の内リング２２の外周に設けられて、その磁力作用により該ファン２０をファン台に接合する。
【０００９】
上述のホイール２１及び翼２３の重量に回転軸周りの偏奇があり、或いは設置された磁性体２５が前述のファン２０の回転中心にかける重量が均等でない場合、該ファン２０の回転に不均衡が発生する。このときユーザー或いは製造者は、ファン２０の重量の比較的重い位置における内リング２２を接続したバランスウェイト２６を取り除き、上述のファン２０の重量の不均等を解消する。前述のバランスウェイト２６は接続部Ｗにより該内リング２２に接続され、接続部Ｗを破壊することにより上述のバランスウェイト２６と前述の内リング２２は分離することができる。バランスウェイト２６が取り除かれたファンの位置は重量が軽減し、ファン２０或いは翼２３の重量の不均衡が解消され、ファン２０の回転を安定させることができる。
【００１０】
この外、上述の接続部Ｗは前述のバランスウェイト２６と内リング２２との境界部として形成され（図３参照）、或いは該バランスウェイト２６と内リング２２は一部の接続部Ｗにより接続されてなり（図４参照）、或いは上述のバランスウェイト２６自身が接続部Ｗとなり（図５参照）、使用者或いは製造者は容易に接続部Ｗを破壊し、該バランスウェイト２６を取り外すことができる。該バランスウェイト２６は、本実施例図に示す形態に限らず、三角形、多辺形或いはその他の各種形状にてなることが可能である。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】公知のファンのバランス調整構造の実施例の説明図である。
【図２】本考案の実施例の正面図である。
【図３】図２の立体図である。
【図４】図３の局部拡大図である。
【図５】バランスウエイトの他の実施例である。
【符号の説明】
【００１３】
１１ シャフト
１２ 延長軸
１３ 内側凸リング
１４ リブ
１５ バランスウェイトスロット
１６ バランスウェイト
２１ ホイール
２２ 内リング
２３ 翼
２４ シャフト
２５ 磁性体
２６ バランスウェイト
Ｗ 接続部
【図１】
0003121953.tif 000003
【図２】
0003121953.tif 000004
【図３】
0003121953.tif 000005
【図４】
0003121953.tif 000006
【図５】
0003121953.tif 000007